(57)【要約】【課題】図柄表示装置の熱による遊技盤の膨張又は収縮や歪みを抑制可能なパチンコ機を提供する。【解決手段】放熱部材３４を、その一部（伝導部３４ａ及びフランジ片３６）を液晶表示装置３０に接触させ、且つ、放熱部３４ｂを通気窓２９を介して遊技盤２の前方へ突出させた状態で設置した。そのため、液晶表示装置３０から生じた熱は伝導部３４ａやフランジ片３６から放熱部３４ｂへ伝わった後、遊技盤２の前方へ放熱される。したがって、液晶表示装置３０の熱に伴う遊技盤２の後方の温度上昇を抑制することができ、特に遊技盤２後面に生じる変形量（膨張又は収縮量）を小さく抑えることができる。【選択図】図９
2010131207.tif 000002
【特許請求の範囲】
【請求項１】
前面に遊技球が流下する遊技領域を設けた合成樹脂製の遊技盤が設置されているとともに、前記遊技盤の後方に図柄表示装置が設置されてなるパチンコ機であって、
前記遊技盤に、その前面から後面にわたって貫通する開口を開設する一方、
一部が前記図柄表示装置に接触しているとともに、放熱部が前記開口から露出する放熱部材を設け、前記図柄表示装置から生じる熱を前記一部から前記放熱部を介して放熱可能としたことを特徴とするパチンコ機。
【請求項２】
前面に遊技球が流下する遊技領域を設けた合成樹脂製の遊技盤が設置されているとともに、前記遊技盤の後方に図柄表示装置が設置されてなるパチンコ機であって、
一部が前記図柄表示装置に接触しているとともに、放熱部が前記遊技盤から外方へ突出する放熱部材を設け、前記図柄表示装置から生じる熱を前記一部から前記放熱部を介して放熱可能としたことを特徴とするパチンコ機。
【請求項３】
前記放熱部が、前記遊技盤の前面よりも前方へ突出していることを特徴とする請求項１又は２に記載のパチンコ機。
【請求項４】
前記放熱部の前方を、少なくとも一部が前記遊技領域内に位置する遊技部材により覆うとともに、前記遊技部材に通気孔を形成したことを特徴とする請求項１〜３の何れかに記載のパチンコ機。
【請求項５】
前記遊技盤に、当該遊技盤の中央を中心とした円周に沿う円弧状のスリットを設けたことを特徴とする請求項１〜４の何れかに記載のパチンコ機。
【発明の詳細な説明】
【技術分野】
【０００１】
本発明は、パチンコ機に関するものである。
【背景技術】
【０００２】
近年、遊技性の向上を図るべく、遊技盤を透明な合成樹脂により成形したパチンコ機が考案されている（たとえば、特許文献１）。そして、このようなパチンコ機においても、大当たり抽選に係る「図柄」（たとえば、所謂「デモ図柄」）等を表示するための液晶表示装置は、従来周知のパチンコ機同様、遊技盤の後方に設置されている。
【０００３】
【特許文献１】特開２００５−１５２５８０号公報
【発明の開示】
【発明が解決しようとする課題】
【０００４】
しかしながら、合成樹脂により成形された遊技盤は周囲の温度変化に影響を受けやすく、液晶表示装置の熱に起因して表面（後面）が膨張し、ひいては遊技領域内に植設されている遊技釘同士の間隔が大きく変化して、たとえば遊技球がチューリップ式電動役物へ入賞できなくなるといった不具合が起こるおそれがある。また、遊技盤の前方と後方とで生じた温度差により、遊技盤の前面と後面とで熱膨張率が異なり、遊技盤全体が前方又は後方へ反ってしまうという事態も起こっている。
さらに、上記問題の解決にあたり、熱の影響を受けにくい、すなわち熱変形しにくい合成樹脂の採用も考えられるが、そのような合成樹脂は比較的高価である上、加工性に劣り遊技盤の作製には不向きである等といった問題もある。
【０００５】
そこで、本発明は、上記問題に鑑みなされたものであって、高価な合成樹脂を用いることなく、図柄表示装置の熱による遊技盤の膨張又は収縮や歪みを抑制可能なパチンコ機を提供しようとするものである。
【課題を解決するための手段】
【０００６】
上記目的を達成するために、本発明のうち請求項１に記載の発明は、前面に遊技球が流下する遊技領域を設けた合成樹脂製の遊技盤が設置されているとともに、前記遊技盤の後方に図柄表示装置が設置されてなるパチンコ機であって、前記遊技盤に、その前面から後面にわたって貫通する開口を開設する一方、一部が前記図柄表示装置に接触しているとともに、放熱部が前記開口から露出する放熱部材を設け、前記図柄表示装置から生じる熱を前記一部から前記放熱部を介して放熱可能としたことを特徴とする。
また、上記目的を達成するために、本発明のうち請求項２に記載の発明は、前面に遊技球が流下する遊技領域を設けた合成樹脂製の遊技盤が設置されているとともに、前記遊技盤の後方に図柄表示装置が設置されてなるパチンコ機であって、一部が前記図柄表示装置に接触しているとともに、放熱部が前記遊技盤から外方へ突出する放熱部材を設け、前記図柄表示装置から生じる熱を前記一部から前記放熱部を介して放熱可能としたことを特徴とする。
【０００７】
請求項３に記載の発明は、請求項１又は２に記載の発明において、前記放熱部が、前記遊技盤の前面よりも前方へ突出していることを特徴とする。
請求項４に記載の発明は、請求項１〜３の何れかに記載の発明において、前記放熱部の前方を、少なくとも一部が前記遊技領域内に位置する遊技部材により覆うとともに、前記遊技部材に通気孔を形成したことを特徴とする。
請求項５に記載の発明は、請求項１〜４の何れかに記載の発明において、前記遊技盤に、当該遊技盤の中央を中心とした円周に沿う円弧状のスリットを設けたことを特徴とする。
【発明の効果】
【０００８】
請求項１に記載の発明によれば、放熱部材により図柄表示装置から生じた熱を遊技盤の後方にとどまらせることなく、開口から遊技盤の前方へと逃がすことができる。また、請求項２に記載の発明によれば、熱を遊技盤の上方や側方等へ逃がすことができる。したがって、高価な合成樹脂を用いずとも、図柄表示装置の熱に伴う遊技盤後方の温度上昇を抑制することができ、特に遊技盤の後面に生じる膨張又は収縮を低減することができる。
また、請求項３に記載の発明によれば、放熱部が遊技盤の前方へ突出しているため、図柄表示装置から生じた熱を遊技盤の前方へ逃がすことができ、結果として遊技盤の前面と後面との間で生じる温度差を小さく抑えることができる。したがって、遊技盤の前面と後面とで膨張又は収縮量に差が生じ、遊技盤が大きく反る等といった事態の発生を防止することができる。
さらに、請求項４に記載の発明によれば、放熱部の前方を、少なくとも一部が遊技領域内に位置する遊技部材により覆うため、たとえ開口を遊技領域内に設けたとしてもパチンコ機のデザイン性が損なわれることはない。また、遊技部材に通気孔を設けているため、放熱部から放出された熱をためることなく逃がすことができる。
加えて、請求項５に記載の発明によれば、遊技盤にスリットを設けているため、たとえ膨張又は収縮が生じたとしても、スリットによって遊技盤の外周縁よりも内方でその膨張又は収縮を逃がすことができ、遊技盤全体での変形量を低減することができる。また、スリットを遊技盤の中央を中心とした円周に沿う円弧状に形成しているため、スリットにおいて膨張又は収縮を無理なく逃がすことができ、遊技盤に撓みが生じる事態をより効果的に抑制することができる。
【発明を実施するための最良の形態】
【０００９】
以下、本発明の一実施形態となるパチンコ機について、図面にもとづき詳細に説明する。
【００１０】
まず、パチンコ機１全体の構成について説明する。図１は、パチンコ機１を前面側から示した説明図であり、図２は、パチンコ機１を後面側から示した説明図である。
パチンコ機１は、遊技盤２の前面に形成された遊技領域２ａ内へ遊技球を打ち込み、遊技領域２ａ内を流下させて遊技するものであって、遊技盤２は、支持体として機能する機枠３の前面上部に、金属製のフレーム部材であるミドル枠５を介して設置されている。また、遊技盤２の前方には、ガラス扉を嵌め込み設置してなる前扉４が、左端縁を軸として片開き可能に機枠３に蝶着されており、該前扉４によって閉塞される遊技盤２の前方空間が遊技領域２ａとされている。
【００１１】
遊技領域２ａは、遊技盤２の前面に円弧状に配設された外レール及び内レール（図示せず）等によって囲まれており、両レール間が遊技球を遊技領域２ａ内へ打ち込むための発射通路とされている。また、遊技領域２ａの略中央には、「０」〜「９」の数字や絵柄等からなる「図柄」の表示領域となる図柄表示部６が設けられている。さらに、図柄表示部６の左右、及び上方を囲むように、庇部材１４及びランプ部材１５が設置されており、図柄表示部６の前方への遊技球の進入を防止している。加えて、遊技領域２ａには、図示しない多数の遊技釘、遊技球が通過可能なゲート部材１６、一対の爪片を開閉動作可能に備えたチューリップ式電動役物１７、開閉可能な扉部材を有する大入賞装置１８、３つの入賞口を有する入賞部材１９、風車（図示せず）等が設置されている。尚、庇部材１４は、前方へ膨出した中空状の膨出部を備えており、当該膨出部には、左右方向へ長い複数の通気スリット１４ａ、１４ａ・・が設けられている。
【００１２】
また、機枠３の前面側であって上記遊技盤２の下方には、遊技球を発射装置１０へ供給するための供給皿７、及び供給皿７から溢れた遊技球を貯留するための貯留皿８が機枠３に対して夫々片開き可能に取り付けられている。さらに、貯留皿８の右側には、発射装置１０を作動させるためのハンドル９が回動操作可能に設置されている。
【００１３】
一方、機枠３の後面側には、供給皿５へ貸球や賞品球として払い出される遊技球を貯留するための貯留タンク１１、当該貯留タンク１１と連結された払い出し装置、図柄表示部６に「図柄」を表示させるための液晶表示装置３０（図１に示す）、払い出し装置１２や液晶表示装置３０等の動作を統合的に制御するサブ統合基板を内蔵したサブ制御装置（図示せず）が設置されているとともに、遊技に係る制御（たとえば、所謂「大当たり抽選」等）を実行するためのメイン制御基板２１を内蔵してなる主制御装置２０が設置されている。
【００１４】
以上のようなパチンコ機１では、遊技者によってハンドル９が回動操作されると、発射装置１０が作動して遊技球が遊技領域２ａ内へ打ち込まれる。そして、遊技領域２ａ内を流下する遊技球がチューリップ式電動役物１７へ入賞すると、メイン制御基板２１にて「大当たり抽選」を行い、所謂「大当たり」である場合には、図柄表示部６に「図柄」を所定態様（たとえば、「７、７、７」等）で表示させた後、大入賞装置１８の扉部材を所定回数にわたって断続的に開成させるといった所謂「大当たり状態」を生起させる。
【００１５】
次に、本発明の要部となる遊技盤２、及び液晶表示装置３０の構成について順に詳述する。図３は、遊技盤２及び液晶表示装置３０を正面側から示した説明図であり、図４は、平板部材４１を正面側から示した説明図である。図５は、基台部材４２を示した説明図であって、（ａ）は正面側、（ｂ）は後面側を夫々示している。
遊技盤２は、アクリル等の透明な合成樹脂からなる板状部材であって、前面に遊技領域２ａが形成される平板部材４１と、平板部材４１を支持する基台部材４２とからなる。平板部材４１は、正面視略円形に成形されており、その略中央部が図柄表示部６として機能する。また、平板部材４１の下部には、チューリップ式電動役物１７及び大入賞装置１８を取り付けるための大取付孔２２が略逆Ｔ字状に開設されているとともに、大取付孔２２の右方には、ランプ部材１５を取り付けるためのランプ孔２３が、大取付孔２２の左方には、入賞部材１９の入賞口として機能する３つの入賞孔２４、２４・・が夫々設けられている。
【００１６】
さらに、大取付孔２２の上方には、上面を遊技球が転動可能なステージ部材を（図示せず）取り付けるためのステージ孔２５が円弧状に設けられており、当該設置孔２５の左方には、庇部材１４の一部として下方へ延設され、ステージ部材上へ遊技球を導くためのワープ部１４ｂを取り付けるための設置孔２６が設けられている。
加えて、平板部材４１には、膨張又は収縮に起因する歪みを抑制するための大径スリット２７Ａ、２７Ｂと、小径スリット２８Ａ、２８Ｂとが、平板部材４１の前面から後面にわたって貫通するように設けられている。さらに、平板部材４１の上部には、遊技盤２の前後で空気を流動させるための通気窓２９が開設されている。
【００１７】
大径スリット２７Ａは、平板部材４１の左下部から中央左部にかけて円弧状に形成されており、平板部材４１の略中央を中心とした所定の円周上に位置している。当該大径スリット２７Ａの右端部は、入賞孔２４、２４・・を連結した状態となっている。そして、大径スリット２７Ａは、入賞部材１９を平板部材４１に取り付けた際、入賞部材１９によって覆われるようになっている。一方、大径スリット２７Ｂは、平板部材４１の右下部において大径スリット２７Ａと同じ円周上で円弧状に設けられており、ランプ孔２３の一部として形成されている。そして、大径スリット２７Ｂは、ランプ部材１５を平板部材４１に取り付けた際、ランプ部材１５によって覆われるようになっている。
【００１８】
また、小径スリット２８Ａは、平板部材４１の右側部に円弧状に形成されている。該小径スリット２８Ａは、上記大径スリット２７Ａ、２７Ｂと中心が同じであるものの径が小さな円周上に位置している。さらに、小径スリット２８Ｂは、平板部材４１の右下部において小径スリット２８Ａと同じ円周上で円弧状に設けられており、ランプ孔２３の一部として形成されている。そして、小径スリット２８Ａ、２８Ｂは、ランプ部材１５を取り付けた際、ランプ部材１５によって覆われるようになっている。
【００１９】
さらに、通気窓２９は、平板部材４１の上部に略かまぼこ形状に開設されている。通気窓２９の左端部には、小径スリット２８Ａ、２８Ｂと同じ円周上に形成された円弧状部２９Ａが設けられており、当該円弧状部２９Ａにより通気窓２９と設置孔２６とは連結されている。そして、通気窓２９（円弧状部２９Ａを含む）は、庇部材１４を取り付けた際、庇部材１４によって覆われるようになっている。
【００２０】
一方、基台部材４２は、複数の枠部材を正面視略四角形状に組み立ててなるもので、各枠部材の後面側には上下方向に延びるリブと左右方向に延びるリブとからなる格子構造を有している。また、基台部材４２の正面側中央部には、大開口４３が形成されているとともに、当該大開口４３の周縁、すなわち枠部材の内周縁には、枠部材の外周縁よりも一段後方へ凹んだ支持凹部４４が設けられており、組み立て状態にある基台部材４２の支持凹部４４内へ平板部材４１を嵌め込むことで支持可能としている。尚、支持凹部４４の正面は、平板部材４１の大径スリット２７Ａ、２７Ｂ、小径スリット２８Ａ、２８Ｂ、及び通気窓２９よりも更に外方部分の後面に当接する（すなわち、嵌め込み状態において、平板部材４１の大径スリット２７Ａ、２７Ｂ、小径スリット２８Ａ、２８Ｂ、及び通気窓２９は、大開口４３内に位置する）ようになっている。
【００２１】
そして、上記平板部材４１と基台部材４２とを組み付けてなる遊技盤２の後方に液晶表示装置３０が設置される。図６は、液晶表示装置３０を示した斜視説明図であり、図７は、取付金具３３を示した説明図であって、（ａ）は正面、（ｂ）は右側面、（ｃ）は上面を夫々示している。
液晶表示装置３０は、「図柄」等を表示する略四角形状の表示画面３１の周囲及び後面を覆うように金属製のフレーム部材３２を取り付けてなるもので、図７に示す取付金具３３を介し、表示画面３１が図柄表示部６の後方に位置するようミドル枠５等にネジ止めされる。この取付金具３３は、正面及び下面が開放された箱状体で、上面、左右側面、及び背面の内面が、フレーム部材３２の上面、左右側面、及び後面に夫々当接するように、液晶表示装置３０の上部に取り付けられる。尚、３３ａは、取付金具３３を液晶表示装置３０の上面にネジ止めするためのネジ止め部である。
【００２２】
また、上記取付金具３３には、図８に示す放熱部材３３が取り付けられる。放熱部材３４は、略Ｌ字状に折り曲げられた金属製のプレート部材であって、取付金具３３の上面から前方へ延びる伝導部３４ａと、伝導部３４ａの前方で上方へ折り曲げて起こされた放熱部３４ｂとからなる。伝導部３４ａの後端部には、放熱部材３４を取付金具３３のネジ止め部３３ａへ螺着するためのネジ孔３５が設けられているとともに、取付金具３３への螺着状態においてフレーム部材３２の前面に当接するフランジ片３６が下方へ突設されている。一方、放熱部３４ｂには、前方へ突出する複数の放熱フィン３７、３７・・が取り付けられている。また、放熱部３４ｂは、通気窓２９内を挿通可能な程度の大きさとされており、液晶表示装置３０の遊技盤２後方への設置に伴い、通気窓２９を介して遊技盤２の前方へ突出するようになっている。
【００２３】
ここで、上記遊技盤２及び液晶表示装置３０の設置、液晶表示装置３０が生じる熱の放熱、及び大径スリット２７Ａ等による遊技盤２の歪み抑制に係る作用、効果について説明する。
まず、基台部材４２の支持凹部４４内に平板部材４１を嵌め込み、遊技盤２を組み立てる。次に、遊技盤２の前面から、遊技釘、庇部材１４、ランプ部材１５、ゲート部材１６、チューリップ式電動役物１７、大入賞装置１８、及び入賞部材１９等を組み付ける。この各種部材の組み付けにより、大取付孔２２、ランプ孔２３、入賞孔２４、設置孔２６、大径スリット２７Ａ、２７Ｂ、小径スリット２８Ａ、２８Ｂ、及び通気窓２９は全て、組み付けられた部材により前方を覆われた状態となる。そして、全ての部材を組み付けた遊技盤２をミドル枠５に設置する。
【００２４】
次に、液晶表示装置３０に取付金具３３を取り付けるとともに、放熱部材３４を放熱部３４ｂが前方へ突出する姿勢にて取付金具３３の上面にネジ止めする。このとき、放熱部材３４は、液晶表示装置３０に対して伝導部３４ａの端部及びフランジ片３６が接触した状態となっている。そして、このような姿勢で放熱部材３４が取り付けられた状態にある液晶表示装置３０を、遊技盤２の後方の所定位置に設置する。この液晶表示装置３０の設置状態においては、図９に示す如く、放熱部材３４の放熱部３４ｂが通気窓２９を介して遊技盤２の前方へ突出し、庇部材１４の膨出部内に位置している。
このようにして、遊技盤２及び液晶表示装置３０は組み立てられ設置される。
【００２５】
以上のような遊技盤２及び液晶表示装置３０を有するパチンコ機１においては、電源の投入等により液晶表示装置３０が動作し、液晶表示装置３０に熱が生じる。しかしながら、この熱はフレーム部材３２から取付金具３３を介して放熱部材３４の伝導部３４ａに伝わり（又はフレーム部材３２から直接フランジ片３６に伝わり）、更に前方の放熱部３４ｂへ伝わった後、放熱フィン３７、３７・・を介して庇部材１４の膨出部内、すなわち遊技盤２の前方へ放熱される。さらに、放熱フィン３７から放出される熱は、通気スリット１４ａ、１４ａ・・を介して遊技盤２の更に前方へ逃げることになる。したがって、熱により変形しにくいような高価な合成樹脂を用いずとも、液晶表示装置３０の熱に伴う遊技盤２の後方の温度上昇を抑制することができ、特に遊技盤２後面に生じる変形量（膨張又は収縮量）を小さく抑えることができる。また、遊技盤２の後方の温度上昇を抑制することができることから、遊技盤２の前面と後面とで大きな温度差が生じるといった事態も防止することができ、温度差に起因する膨張又は収縮量の差により遊技盤２が大きく反る等といった事態の発生も防止することができる。
【００２６】
また、遊技盤２の膨張又は収縮を完全に抑止することは困難であり、液晶表示装置３０のみならず主制御装置２０が生じる熱、遊技領域２ａを流下する遊技球の摩擦等に起因して、遊技盤２（特に平板部材４１）の前面及び後面は、熱膨張又は収縮しようとする。しかしながら、遊技盤２では、遊技釘等が設置されている平板部材４１に大径スリット２７Ａ、２７Ｂや小径スリット２８Ａ、２８Ｂを設けているため、当該各スリットにより遊技盤２の外周縁よりも内方で膨張又は収縮を逃がすことができる。したがって、遊技盤２全体での変形量を低減することができる。さらに、各スリットを円弧状に形成しているため、各スリットにおいて膨張又は収縮を無理なく逃がすことができ、遊技盤２に撓みが生じる事態をより効果的に抑制することができる。加えて、大径スリット２７Ａ、２７Ｂや小径スリット２８Ａ、２８Ｂ、通気窓２９を設けたことで、平板部材４１の表面積が増す。したがって、遊技盤２に伝わった熱が、特に各スリット及び通気窓２９の断面から放出され、遊技盤２の膨張が更に抑制されることになる。
【００２７】
一方、遊技盤２の前方と後方とで完全に温度差をなくすことも困難であり、液晶表示装置３０に加え、主制御装置２０等の各種制御装置が設置されていることから、遊技盤２の後方が前方よりも高温になりやすい。しかしながら、パチンコ機１では、上記放熱部材３４の設置に加え、平板部材４１に通気窓２９を形成しているため、遊技盤２の前方と後方とで空気が自発的に流動し、温度差が低減されることになる。したがって、遊技盤２の前面と後面とで変形量に差が生じにくく、ひいては遊技盤２に生じる反りを更に低減することができる。
【００２８】
また、大径スリット２７Ａ、２７Ｂや小径スリット２８Ａ、２８Ｂ、及び通気窓２９は、庇部材１４やランプ部材１５、入賞部材１９によって前方を覆われるため、正面から見た際のデザイン性が損なわれることがない。
さらに、遊技盤２を平板部材４１と平板部材４１を支持する基台部材４２とから構成するとともに、基台部材４２の後面に格子構造を形成しているため、基台部材４２をそもそも熱により膨張又は収縮しにくいものとすることができるし、たとえ平板部材４１が膨張又は収縮したとしても、当該膨張又は収縮は基台部材４２に伝わりにくい。したがって、基台部材４２までもが膨張又は収縮して、遊技盤２のミドル枠５への設置部分に負荷が生じるといった事態を防止することができるし、遊技盤２全体での変形量や歪み量を抑制することができる。
【００２９】
なお、本発明のパチンコ機に係る構成は、上記実施形態の態様に何ら限定されるものではなく、遊技盤や放熱機構に係る構成について、本発明の趣旨を逸脱しない範囲で、必要に応じて適宜変更することができる。
【００３０】
たとえば、放熱部材３４の伝導部３４ａや放熱部３４ｂに通気孔を形成してもよい。当該構成を採用することで、遊技盤２の前方と後方との間で空気をよりスムーズに流動させることが可能となり、前方と後方とでの温度差解消をより図ることができる。
また、放熱部材３４の放熱部３４ｂは必ずしも通気窓２９を介して前方へ突出させる必要はなく、正面視で通気窓２９内に放熱部３４ｂが露出させるだけでも遊技盤２の後方にたまりがちな熱を逃がすといった効果を期待できる。さらに、放熱部３４ｂを遊技盤２の上方又は側方等へ露出させるようにしても、熱を逃がすことは可能であり、ひいては通気窓２９を設けない構成としてもよい。
【００３１】
さらに、放熱部材についても上記実施形態のものに何ら限定されることはなく、たとえば図１０に示すような構成を採用してもよい。図１０は、放熱機構部分の変更例を示した説明図であって、庇部材１４の後方に、伝導部５０ａと放熱部５０ｂとからなる放熱部材５０が庇部材１４と一体的に設けられている。当該庇部材１４（放熱部材５０を含む）は、熱伝導性の高い合成樹脂（たとえば、炭素繊維が添加されたポリ乳酸樹脂等）により成形されてなり、放熱部５０ｂの前面には、複数の放熱フィン５０ｃ（合成樹脂製）が突設されている。この庇部材１４を、遊技盤２の前方から通気窓２９を介して放熱部材５０が後方へ突出するように取り付け、後方へ突出する放熱部材５０の伝導部５０ａを液晶表示装置３０に連結することで、液晶表示装置３０から生じる熱を、放熱部材５０及び庇部材１４を介して遊技盤２の前方へ放熱可能となる。このように庇部材１４と放熱部材５０とを一体的に形成することにより、庇部材１４を取り付けるだけで放熱部材５０が位置決めされるため、設置作業が容易になるというメリットがある。尚、取付部材（取付金具３３）についても熱伝導性の高い合成樹脂を採用することは可能であるし、熱伝導性がそれほど高くない合成樹脂の表面に金属メッキを施してなる放熱部材や取付部材を採用することも当然可能である。また、放熱部材を庇部材ではなくランプ部材等の他の遊技部材と一体成形してもよいことは言うまでもないし、必ずしも放熱部材の放熱部に放熱フィンを設ける必要はない。
【００３２】
また、大径スリット２７Ａや小径スリット２８Ａ等の各スリット、ランプ孔２３や入賞孔２４等を覆うランプ部材１５や入賞部材１９にも、通気スリット１４ａ等のような空気孔を形成したり、ランプ部材１５や入賞部材１９を平板部材４１の前面に設置するにあたって、平板部材４１の表面から若干浮かせる等することにより、空気がスリットやランプ孔等を介しても流動できるように構成することもできる。
さらに、庇部材１４における通気スリット１４ａの形状は勿論、形成位置等も当然設計変更可能であって、庇部材の１４の上面や下面に設けてもよい。このように庇部材１４の上面や下面に通気スリット１４ａを設けることで、遊技者等が正面から見た際に庇部材１４内部の放熱部材が見えたりせず、デザイン性に優れたパチンコ機とすることができる。また、特に庇部材１４の上面に通気スリット１４ａを設けることで、熱せられて上方へ移動する空気をそのまま逃がすことができ、放熱、温度差解消等といった効果をより期待することができる。加えて、大径スリット２７Ａや小径スリット２８Ａ等を必ずしも円弧状に形成する必要はなく、直線状であってもよい。
【図面の簡単な説明】
【００３３】
【図１】パチンコ機を前面側から示した説明図である。
【図２】パチンコ機を後面側から示した説明図である。
【図３】遊技盤及び液晶表示装置を正面側から示した説明図である。
【図４】平板部材を正面側から示した説明図である。
【図５】基台部材を示した説明図であって、（ａ）は正面側、（ｂ）は後面側を夫々示している。
【図６】液晶表示装置を示した斜視説明図である。
【図７】取付金具を示した説明図であって、（ａ）は正面、（ｂ）は右側面、（ｃ）は上面を夫々示している。
【図８】放熱部材を示した斜視説明図である。
【図９】放熱機構部分を断面で示した説明図である。
【図１０】放熱機構部分の変更例を示した説明図である。
【符号の説明】
【００３４】
１・・パチンコ機、２・・遊技盤、２ａ・・遊技領域、１４・・庇部材（遊技部材）、１４ａ・・通気スリット、１９・・入賞部材、２７Ａ、２７Ｂ・・大径スリット、２８Ａ、２８Ｂ・・小径スリット、２９・・通気窓（開口）、３０・・液晶表示装置（図柄表示装置）、３３・・取付金具、３４・・放熱部材、３４ａ・・伝導部（図柄表示装置に接触する一部）、３４ｂ・・放熱部、３６・・フランジ片（図柄表示装置に接触する一部）、３７・・放熱フィン。
【図１】
2010131207.tif 000003
【図２】
2010131207.tif 000004
【図３】
2010131207.tif 000005
【図４】
2010131207.tif 000006
【図５】
2010131207.tif 000007
【図６】
2010131207.tif 000008
【図７】
2010131207.tif 000009
【図８】
2010131207.tif 000010
【図９】
2010131207.tif 000011
【図１０】
2010131207.tif 000012